(57)【要約】【課題】  手が多少不自由な要介護者が落とすことなく使いやすい介護用箸の提供。【解決手段】  摘み側先端部を除く持ち手側表面には、シリコン樹脂などのように柔らかくて摩擦係数の高い材質からなる樹脂層２を形成している。【選択図】    図１
0003112782.tif 000002
【実用新案登録請求の範囲】
【請求項１】
手が多少不自由な要介護者が使用する箸において、持ち手側表面にはシリコン樹脂などのように柔らかくて摩擦係数の高い材質からなる樹脂層を形成したことを特徴とする介護用箸。
【請求項２】
上記樹脂層を樹脂製チューブが箸に嵌ることで形成した請求項１記載の介護用箸。
【請求項３】
箸を持つ際に指先端が位置する箇所を窪ませて凹部を形成した請求項１、又は請求項２記載の介護用箸。
【請求項４】
手が多少不自由な要介護者が使用する箸の持ち手側に嵌める樹脂製チューブにおいて、シリコン樹脂などのように柔らかくて摩擦係数の高い材質にて成形したことを特徴とする箸用チューブ。                                                                       
【考案の詳細な説明】
【技術分野】
【０００１】
本考案は手が不自由な要介護者が主として使用する箸に関するものである。すなわち、滑り落ちることがないように持ち易くした箸である。
【背景技術】
【０００２】
手が不自由な要介護者は一般健常者が使用する箸を使うことが容易でない場合が多い。そこで、普通はスプーンを用いて食事をすることを強いられるのが実状である。しかし、日本人である我々は昔から箸を使用することが習慣であり、その為に、多少手が不自由であっても箸を用いて食事をしたいといった思いは強く、日本食は元来箸を使った方が食べ易いようになっている。
【０００３】
特開２０００−９３２８１号は「介護用スプーン」に関する従来技術である。このスプーンは、介護給食に使用されるスプーンに横漏れ防止機能を付設することにより、介護者の手間を省くと共に、要介護者の食感を満足させ、且つ横漏れによる不快感を蒙ることがないようにしたもので、スプーン頭部の側縁部にフレームを設け、このフレーム及びフレームの下方の収容部によって給食時の横漏れを防止することが出来るように成っている。
【０００４】
特開２００２−２４０８５８号は「食事用補助容器と同容器を用いた食品の包装体」は、要介護者や幼児がスプーンを用いて一人で容器内の食品をすくい取って食事をすることが出来るようにしたものであり、上方開口した容器本体の周壁の少なくとも一側を容器本体の内方へ円弧状に屈曲成形してあり、この屈曲周壁はその外周の接線が水平方向と成る位置まで延長してあり、かつ容器本体の底部裏面には窪み部を形成してある。
【０００５】
このように、スプーンに関する介護用具は色々と知られているが、要介護者が使用し易いように工夫した箸に関するものは存在しない。介護が必要になった段階で、介護者は箸を取上げてスプーンを与えてしまう為であるが、これはあくまでも要介護者の気持ちを無視して介護者の手間のみを考えた結果である。要介護者は健常者が使用することが出来る箸を扱うことは容易でなく、途中で落としてしまう場合が多い。
【特許文献１】特開２０００−９３２８１号は「介護用スプーン」
【特許文献２】特開２００２−２４０８５８号は「食事用補助容器と同容器を用いた食品の包装体」
【考案の開示】
【考案が解決しようとする課題】
【０００６】
食事用の箸には色々なデザインが施されているが、要介護者にとっては一般的な箸は使い難い。本考案が解決しようとする課題はこの問題点であり、要介護者又は幼児であっても、落とすことなく使いこなすことが出来る介護用箸を提供する。
【課題を解決するための手段】
【０００７】
本考案に係る介護用箸は、持った箸が滑りにくくなるような樹脂層を表面に形成している。樹脂層の具体的な材質は限定しないことにするが、比較的柔らかくて摩擦係数が高いことが必要である。そこで、上記樹脂層としては箸の表面に樹脂を直接塗布して形成する場合、又は樹脂製のチューブを嵌め込むことで該樹脂層を形成することも出来る。
【０００８】
該チューブとしてはシリコン樹脂などの伸縮性のある材質から成り、色んな箸に適用できる寸法及び形状と成っている。一方、箸を持った際に指先端が当たる箇所を窪ませて凹部を形成することもある。ここで、該凹部は箸自体の表面に凹部を形成する場合、又は表面の樹脂層にのみ凹部を形成する場合の何れでもよく、又凹部の個数も自由である。
【考案の効果】
【０００９】
本考案に係る介護用箸はその表面に樹脂層が形成され、そして樹脂層は柔らかくて摩擦係数が高い為に持った際に滑り落ちにくくなる。従って、手が少し不自由になった要介護者にとって、扱いやすい箸となる。該樹脂層は箸表面に樹脂液を直接塗布することもあるが、樹脂製チューブを嵌めることで簡単に作ることが出来る。すなわち、健常者が使用する普通の箸をそのまま用いて製作することが可能であり、低コストで製作可能と成る。さらに、表面に凹部を形成するならば、該凹部に指先端が当る為に、箸を持った際の安定性がより向上する。
【実施例】
【００１０】
図１は本考案に係る介護用箸を示す実施例である。箸１ａ，１ｂは２本が対を成して構成され、基本的な形状は従来の一般的な箸と同じである。すなわち、頭部側(持ち手側)は太くて先端側(摘み側)は細く成っており、手で持ち易くしかも食べ物を摘み易い形状としている。図２は図１のＡ−Ａ断面拡大図を表しているが、箸１ａの表面には樹脂層２が形成されている。
【００１１】
該樹脂層２は箸先端側が除かれた持ち手側領域に設けられ、そして柔らかくて摩擦係数の高い材質が使用されている。例えば、シリコン樹脂が適している。シリコン樹脂は箸１ａ，１ｂを手で持った際の肌当りが良く、しかも滑りにくい為に箸が手から落ちることを抑制することが出来る。同図に示す箸１ａ，１ｂの表面に形成している樹脂層２は、シリコンなどの樹脂を箸１ａ，１ｂの表面に直接塗布して作ることが出来、該箸１ａ，１ｂと一体化して形成されている。
【００１２】
ところで、図１の箸１ａ，１ｂはその表面に形成される樹脂層２は一体化しているが、独立した樹脂製のチューブを嵌めることで同じような樹脂層２を作ることが可能である。図３は箸１に嵌める樹脂製チューブ３を表している。樹脂製チューブ３の穴４に箸１が挿入されるが、箸１の先端側から穴４に差込んで外径の大きな持ち手側に冠着される。
【００１３】
樹脂製チューブ３は伸縮可能であるために、箸１の持ち手側では伸びて冠着し、箸１の表面に密着することが出来る。該樹脂製チューブ３は単独で成形にて製作することが出来、この樹脂製チューブ３を箸１に嵌めることで、本発明に係る介護用箸を簡単に製作することが出来る。前記図１に示す介護用箸、及び図３に示す樹脂製チューブ３を嵌めた箸は、持ち手側全領域が連続した樹脂層２と成るが、部分的に樹脂層２を形成することもある。例えば、手や指が接する領域に限り樹脂層２を設けることが出来る。
【００１４】
図４は本発明に係る介護用箸の一部を示している実施例であり、樹脂層２が形成されている先端側領域には、僅かに窪ませて凹部５を形成している。該凹部５は箸１の全周に鉢巻き状に形成され、箸１を持つ際に該凹部５には指の先端が位置するように摘むことができ、箸１はより安定して滑り落ち難くなる。
【００１５】
該凹部５は箸１本体の表面に加工することが出来、又、樹脂製チューブ３を嵌める場合であれば、樹脂製チューブ３の表面に凹部５を成形することも可能である。逆に、樹脂製チューブ３の表面に２本の凸リングを所定の間隔をおいて設けることで、凹部５を両凸リングの間に形成することも出来る。
【図面の簡単な説明】
【００１６】
【図１】本発明に係る介護用箸を示す実施例。
【図２】図１のＡ−Ａ断面拡大図。
【図３】箸に嵌める樹脂製チューブ。
【図４】一部に凹部を形成した介護用箸。
【符号の説明】
【００１７】
１  箸
２  樹脂層
３  樹脂製チューブ
４  穴
５  凹部
【図１】
0003112782.tif 000003
【図２】
0003112782.tif 000004
【図３】
0003112782.tif 000005
【図４】
0003112782.tif 000006